(57)【要約】【課題】  アンテナの引出・収納を繰返し行っても、アンテナと回路端子との電気的接続状態が劣化しないようにしたアンテナ給電装置を提供する。【解決手段】  円柱体のロッド部、該ロッド部の上端に配置されて当該ロッド部より太い径のキャップ部、ロッド部の下端に配置されてキャップ部と同径のアンテナ端子部により形成されたアンテナに給電するアンテナ給電装置であって、装置筐体から引出・収納されるアンテナと通信回路基板の回路端子とを電気的に接続する給電板を備え、給電板が回路端子に機械的、かつ、電気的に接続される固定部と、引出・収納されるアンテナが摺動する接触部と、接触部と固定部との間に設けられて、接触部とアンテナとの接触面で発生する摩擦による力を吸収する力吸収部と、を備え、アンテナが引出された際には、接触部はアンテナ端子部を押圧して、アンテナに給電すると共に、アンテナが収納された際には、接触部はキャップ部を押圧して、アンテナの動きを抑制する。【選択図】      図３
2014143770.tif 000002
【特許請求の範囲】
【請求項１】
円柱体のロッド部、該ロッド部の上端に配置されて当該ロッド部より太い径のキャップ部、前記ロッド部の下端に配置されて前記キャップ部と同径のアンテナ端子部により形成されたアンテナに給電するアンテナ給電装置であって、
装置筐体から引出・収納される前記アンテナと通信回路基板の回路端子とを電気的に接続する給電板を備え、
前記給電板が
前記回路端子に機械的、かつ、電気的に接続される固定部と、
引出・収納される前記アンテナが摺動する接触部と、
前記接触部と前記固定部との間に設けられて、前記接触部と前記アンテナとの接触面で発生する摩擦による力を吸収する力吸収部と、を備え、
前記アンテナが引出された際には、前記接触部は前記アンテナ端子部を押圧して、前記アンテナに給電すると共に、前記アンテナが収納された際には、前記接触部は前記キャップ部を押圧して、前記アンテナの動きを抑制する、
ことを特徴とするアンテナ給電装置。
【請求項２】
請求項１に記載のアンテナ給電装置であって、
前記力吸収部が、湾曲して設けられた第１湾曲部と、
前記第１湾曲部と前記接触部との間に湾曲して設けられた第２湾曲部と、を備えることを特徴とするアンテナ給電装置。
【請求項３】
請求項２に記載のアンテナ給電装置であって、
前記第１湾曲部又は前記第２湾曲部のいずれか一方が、前記接触部を前記アンテナに押圧することを特徴とするアンテナ給電装置。
【請求項４】
請求項１乃至３のいずれか１項に記載のアンテナ給電装置であって、
前記アンテナが挿通して支持される支持部と、
前記支持部の側筒部に形成されて、前記接触部が挿通する接触窓と、を備えることを特徴とするアンテナ給電装置。
【請求項５】
請求項１乃至４のいずれか１項に記載のアンテナ給電装置であって、
前記給電板における前記アンテナを引出す方向及び収納する方向の最大変位量が規定される変位規制部を設けたことを特徴とするアンテナ給電装置。
【請求項６】
請求項４に記載のアンテナ給電装置であって、
前記接触窓における前記アンテナの長さ方向の上下端面が、前記給電板における前記アンテナを引出す方向及び収納する方向の最大変位量を規定する変位規制部をなすことを特徴とするアンテナ給電装置。
【請求項７】
円柱体のロッド部、該ロッド部の上端に配置されて当該ロッド部より太い径のキャップ部、前記ロッド部の下端に配置されて前記キャップ部と同径のアンテナ端子部により形成されて、装置筐体から引出・収納されるアンテナと、
回路端子を備えた通信回路基板と、
前記回路端子に機械的、かつ、電気的に接続される固定部と、引出・収納される前記アンテナが摺動する接触部と、前記接触部と前記固定部との間に設けられて、前記接触部と前記アンテナとの接触面で発生する摩擦による力を吸収する力吸収部とを含む給電板を有し、前記アンテナが引出された際には、前記接触部は前記アンテナ端子部を押圧して、前記アンテナに給電すると共に、前記アンテナが収納された際には、前記接触部は前記キャップ部を押圧して、前記アンテナの動きを抑制するアンテナ給電装置と、
を備えることを特徴とする通信装置。
【請求項８】
請求項７に記載の通信装置であって、
前記力吸収部が、湾曲して設けられた第１湾曲部と、
前記第１湾曲部と前記接触部との間に湾曲して設けられた第２湾曲部と、を備えることを特徴とする通信装置。
【請求項９】
請求項８に記載の通信装置であって、
前記第１湾曲部又は前記第２湾曲部のいずれか一方が、前記接触部を前記アンテナに押圧することを特徴とする通信装置。
【請求項１０】
請求項７乃至９のいずれか１項に記載の通信装置であって、
前記アンテナが挿通して支持される支持部と、
前記支持部の側筒部に形成されて、前記接触部が挿通する接触窓と、を備えることを特徴とする通信装置。
【請求項１１】
請求項７乃至１０のいずれか１項に記載の通信装置であって、
前記給電板における前記アンテナを引出す方向及び収納する方向の最大変位量が規定される変位規制部を設けたことを特徴とする通信装置。
【請求項１２】
請求項１０に記載の通信装置であって、
前記接触窓における前記アンテナの長さ方向の上下端面が、前記給電板における前記アンテナを引出す方向及び収納する方向の最大変位量を規定する変位規制部をなすことを特徴とする通信装置。
【発明の詳細な説明】
【技術分野】
【０００１】
本発明は、アンテナ給電装置及びそれを用いた通信装置に関する。
【背景技術】
【０００２】
携帯端末等の通信装置に設けられている地上波デジタルテレビジョンアンテナは、アンテナ給電装置によって装置筐体に収納された通信用の電子回路と接続されている。このようなアンテナ給電装置としては、種々の構成が提案され得ている。
【０００３】
例えば、特開平６−２６０８２８号にかかるアンテナは、ロッドアンテナの下端に接続された金属製の提灯バネと、ロッドアンテナが収納される長い内筒と、この内筒と通信用の電子回路基板に設けられた回路端子とを接続する同軸ケーブルとを備える。なお、提灯バネは、ロッドアンテナと電気的・機械的に接続されると共に内筒に内接している。これにより、ロッドアンテナは、提灯バネ、内筒、同軸ケーブルを介して回路端子と電気的に接続される。
【０００４】
また、特開２０００−１８８５０３号公報にかかるアンテナは、図１１に示すような、端末装置筐体１００に設けられた筒状部１０１、端末装置筐体１００に内設された通信用の電子回路基板１０２、筒状部１０１に案内されるアンテナ１０３、一端が電子回路基板１０２の回路端子に固着され、他端がアンテナ１０３のアンテナチューブ１０４にバネ力によって接触する給電バネ１０５を備える。なお、図１１（ａ）は、アンテナ１０３の長手方向における装置の部分断面図であり、図１１（ｂ）は図１１（ａ）におけるＢ−Ｂ線に沿った断面図である。
【先行技術文献】
【特許文献】
【０００５】
【特許文献１】特開平６−２６０８２８号公報
【特許文献２】特開２０００−１８８５０３号公報
【発明の概要】
【発明が解決しようとする課題】
【０００６】
特開平６−２６０８２８号公報にかかるアンテナにおいては、電子回路基板の回路端子と内筒とを同軸ケーブルにより接続するための半田付け等の作業が必要となる。この点、特開２０００−１８８５０３号公報にかかるアンテナは、電子回路基板を端末装置筐体１００に収納固定すると、給電バネ１０５は、自身のバネ力によりアンテナチューブ１０４と接触するため、上述した半田付け等の作業が不要になる利点がある。
【０００７】
しかしながら、特開２０００−１８８５０３号公報にかかるアンテナは、引出・収納動作を繰返えすと、電子回路基板の回路端子と給電バネとの機械的・電気的接続状態が劣化する場合がある。即ち、アンテナの引出・収納によりアンテナチューブ１０４は上下方向Ｄ１，Ｄ２に動くことになる。このとき、アンテナチューブ１０４の動きに応じた摩擦力が、給電バネ１０５に作用する。この摩擦力により、図１１（ａ）に示すような力Ｆ１，Ｆ２が、電子回路基板の回路端子と給電バネとの接続点に作用する。このような力Ｆ１，Ｆ２が接続点に繰返し加わることにより、回路端子と給電バネとの機械的・電気的接続状態が劣化する。
【０００８】
また、アンテナ１０３のロッド部１０６とアンテナチューブ１０４との直径が異なっているため、アンテナ１０３を引出・収納した際には、図１１（ｂ）に示すような力Ｆ３が給電バネ１０５に働き、回路端子と給電バネとの機械的・電気的接続状態を劣化させる。
【０００９】
そこで、本発明は、アンテナの引出・収納を繰返し行っても、アンテナと回路端子との電気的接続状態が劣化しないようにしたアンテナ給電装置及びそれを用いた通信装置を提供することを目的とする。
【課題を解決するための手段】
【００１０】
上記課題を解決するため、アンテナ給電装置は、円柱体のロッド部、該ロッド部の上端に配置されて当該ロッド部より太い径のキャップ部、ロッド部の下端に配置されてキャップ部と同径のアンテナ端子部により形成されたアンテナに給電するアンテナ給電装置であって、装置筐体から引出・収納されるアンテナと通信回路基板の回路端子とを電気的に接続する給電板を備え、給電板が回路端子に機械的、かつ、電気的に接続される固定部と、引出・収納されるアンテナが摺動する接触部と、接触部と固定部との間に設けられて、接触部とアンテナとの接触面で発生する摩擦による力を吸収する力吸収部と、を備え、アンテナが引出された際には、接触部はアンテナ端子部を押圧して、アンテナに給電すると共に、アンテナが収納された際には、接触部はキャップ部を押圧して、アンテナの動きを抑制する。
【００１１】
また、通信装置は、円柱体のロッド部、該ロッド部の上端に配置されて当該ロッド部より太い径のキャップ部、ロッド部の下端に配置されてキャップ部と同径のアンテナ端子部により形成されて、装置筐体から引出・収納されるアンテナと、回路端子を備えた通信回路基板と、回路端子に機械的、かつ、電気的に接続される固定部と、引出・収納されるアンテナが摺動する接触部と、接触部と固定部との間に設けられて、接触部とアンテナとの接触面で発生する摩擦による力を吸収する力吸収部とを含む給電板を有し、アンテナが引出された際には、接触部はアンテナ端子部を押圧して、アンテナに給電すると共に、アンテナが収納された際には、接触部はキャップ部を押圧して、アンテナの動きを抑制するアンテナ給電装置と、を備えることを特徴とする。
【発明の効果】
【００１２】
本発明によれば、アンテナを引出・収納した際に、給電板がアンテナを押圧して支持するので、アンテナと回路端子との電気的接続状態の劣化が防止できる。
【図面の簡単な説明】
【００１３】
【図１】本発明の第１の実施形態にかかるアンテナ給電装置の断面図である。
【図２】本発明の第２の実施形態にかかるアンテナ給電装置を用いた携帯端末の斜視図である。
【図３】第２の実施形態にかかるアンテナ給電装置の断面図である。
【図４】第２の実施形態にかかるアンテナを支持する支持部の部分破断斜視図である。
【図５】第２の実施形態にかかる給電板の斜視図である。
【図６】第２の実施形態にかかるアンテナの動きを説明する断面図で、（ａ）は、アンテナが収納状態にあるときの図、（ｂ）は引出途中の図、（ｃ）は使用状態にあるときの図である。
【図７】第２の実施形態にかかる給電板の状態を説明する断面図で、（ａ）はアンテナを引出しているときの図、（ｂ）はアンテナを収納しているときの図、（ｃ）は接触部が下テーパ部に当接したときの図、（ｄ）はアンテナが動いていないときの図である。
【図８】第２の実施形態にかかる１つの湾曲部しか持たない給電板とアンテナとの接触状態を説明する断面図である。
【図９】第２の実施形態にかかる２つの湾曲部を持つ給電板とアンテナとの接触状態を説明する断面図である。
【図１０】第２の実施形態にかかる多段式アンテナを備えるアンテナ給電装置の断面図である。
【図１１】関連技術の説明に適用されるアンテナ給電装置の断面図で、（ａ）はアンテナの長手方向の断面図、（ｂ）は（ａ）におけるＢ−Ｂ線に沿った断面図である。
【発明を実施するための形態】
【００１４】
本発明の実施形態を図を参照して説明する。なお、以下の説明ではアンテナ給電装置が用いられる通信装置として携帯端末を例に説明するが、装置筐体に対して引出・収納されるアンテナを備えた通信装置に広く適用できることを付言する。
【００１５】
＜１．第１の実施形態＞
図１は、本発明の第１の実施形態にかかるアンテナ給電装置１の断面図である。アンテナ給電装置１は、給電板２を備える。この給電板２は、接触部２ａ、力吸収部２ｂ及び固定部２ｃを含み、装置筐体３から引出・収納されるアンテナ４と通信回路基板５の回路端子とを電気的に接続する。
【００１６】
接触部２ａは、アンテナ４に押圧されている。固定部２ｃは、通信回路基板５の回路端子に機械的かつ電気的に接続されている。力吸収部２ｂは、接触部２ａと固定部２ｃとの間に設けられて、接触部２ａとアンテナ４との接触面で発生する摩擦力による給電板２の変形を吸収する。
【００１７】
このような構成により、アンテナ４を装置筐体３から引出・収納する際に、アンテナ４と接触部２ａとの接触面には摩擦力が発生する。この摩擦力により、給電板２はアンテナ４の動きに従動する。給電板２は固定部２ｃの位置で通信回路基板５に対して機械的に固定されているので、給電板２の動きは、この給電板２の変形として現れる。このとき接触部２ａと固定部２ｃとの間に力吸収部２ｂが設けられているので、給電板２の変形は力吸収部２ｂが変形することにより吸収される。従って、固定部２ｃに作用する摩擦力による力は、非常に小さくすることができる。よって、アンテナ４の引出・収納を繰返し行っても、固定部２ｃと通信回路基板５の回路端子との電気的・機械的接続状態が劣化しない。
【００１８】
＜２．第２の実施形態＞
次に、本発明の第２の実施形態を説明する。図２は、本実施形態にかかるアンテナ給電装置１２を備えた携帯端末１０の斜視図であり、図３は図２におけるＡ−Ａ線に沿った部分断面図である。携帯端末１０は、装置筐体１０ａ、アンテナ給電装置１２により装置筐体１０ａに内設された通信回路基板と接続されたアンテナ１６、種々の画像情報を表示するための表示部１０ｄ、種々の情報を入力するための入力キー１０ｅ等を備える。
【００１９】
そして、アンテナ１６を使用するときは、アンテナ１６は装置筐体１０ａから引出される。また、アンテナ１６を使用しないときは、アンテナ１６は装置筐体１０ａに押込まれることにより収納される。以下、アンテナ１６を装置筐体１０ａから引出す方向を引出方向（図２及び図３において矢印Ｋ１の方向）、収納する方向を収納方向（図２及び図３において矢印Ｋ２の方向）と記載し、アンテナ１６が引出された状態を使用状態、収納された状態を収納状態と記載する。また、以下の説明においては、「上端」又は「下端」と記載して各部材の部位を特定するが、この場合の「上端」は各部材における「引出方向側の端部」を意味し、「下端」は「収納方向側の端部」を意味する。
【００２０】
図３に示すように、アンテナ１６は、円柱体のロッド部１６ａ、このロッド部１６ａの上端に配置されたキャップ部１６ｂ、ロッド部１６ａの下端に配置されたアンテナ端子部１６ｃを備える。また、アンテナ給電装置１２は、装置筐体１０ａに取付けられた支持部１４、装置筐体１０ａに内設された通信回路基板１５の回路端子とアンテナ１６とを電気的に接続する給電板１８を備える。そして、アンテナ１６は、支持部１４に挿通して上下動可能に支持されている。
【００２１】
アンテナ１６におけるロッド部１６ａとアンテナ端子部１６ｃとは、電気良導体で形成され、かつ、電気的に接続されている。アンテナ１６のキャップ部１６ｂは、キャップボディ部１６ｂａ、このキャップボディ部１６ｂａの上端に設けられたキャップ１６ｂｂ、キャップボディ部１６ｂａの下端に設けられた上テーパ部１６ｂｃを備える。アンテナ端子部１６ｃは、受電部１６ｃａ、この受電部１６ｃａの下端に設けられた抜止フランジ１６ｃｂ、受電部１６ｃａの上端に設けられた下テーパ部１６ｃｃを備える。
【００２２】
キャップ部１６ｂのキャップボディ部１６ｂａやアンテナ端子部１６ｃの受電部１６ｃａの直径Ｄ２は、ロッド部１６ａの直径Ｄ１より大きく（Ｄ２＞Ｄ１）、かつ、支持部１４の内直径Ｄ３に対してクリアランスΔだけ小さい寸法に設定されている（Ｄ２＋Δ＝Ｄ３）。このとき、クリアランスΔが大きいと、キャップボディ部１６ｂａや受電部１６ｃａが支持部１４に対して大きくガタツクようになる。逆に、クリアランスΔが小さいと、キャップボディ部１６ｂａや受電部１６ｃａが支持部１４に挿通し難くなる。そこで、クリアランスΔは、キャップボディ部１６ｂａや受電部１６ｃａが支持部１４に容易に挿通でき、かつ、ユーザに違和感を与える大きなガタツキが生じない寸法に設定される。これらの具体的な値は、支持部１４、キャップボディ部１６ｂａ及び受電部１６ｃａの熱膨張率や表面仕上げ度等により適宜設定される。
【００２３】
図４は、アンテナ給電装置１２における支持部１４の部分破断図である。なお、図４においては、支持部１４が取り付けられる領域の装置筐体１０ａが合わせて示されている。支持部１４は、筒部１４ａ、ナット１４ｂ、接触窓１４ｃ及び突起１４ｄを含み、これらは樹脂等の電気絶縁材により形成されている。なお、支持部１４は、装置筐体１０ａと一体に形成されていても良い。この場合は、ナット１４ｂが不要になる利点がある。
【００２４】
筒部１４ａは、装置筐体１０ａに設けられた取付孔１０ｂに挿入される円筒体である。この筒部１４ａの内直径は、上述した寸法Ｄ３に設定され、この内部にアンテナ１６が挿通される。筒部１４ａの上端にはフランジ１４ｅが設けられ、筒部１４ａの本体をなす案内部１４ｆの外面には、ナット１４ｂが螺合するねじ溝が形成されている。
【００２５】
接触窓１４ｃは、案内部１４ｆを半径方向に開口して形成された概略矩形状の窓で、給電板１８が挿入される。この接触窓１４ｃの上端面は引出変位規制部１９ａをなし、下端面は収納変位規制部１９ｂをなして、これらによって給電板１８の最大変位量を規制する変位規制部１９が形成されている。
【００２６】
突起１４ｄは、フランジ１４ｅと案内部１４ｆとを橋架して設けられたリブである。なお、装置筐体１０ａには、案内部１４ｆが挿入される取付孔１０ｂと突起１４ｄが嵌合する突起溝１０ｃとが、形成されている。そして、案内部１４ｆを取付孔１０ｂに挿入すると、フランジ１４ｅが装置筐体１０ａに当接して、挿入量が規制される。このとき、突起１４ｄが突起溝１０ｃに挿入される。その後、案内部１４ｆにナット１４ｂを螺合させる。
【００２７】
通信回路基板１５の位置は装置筐体１０ａに対して決められているので、給電板１８の位置及び向きも決められている。このためナット１４ｂを案内部１４ｆに螺合させたときに、その締め付け力で案内部１４ｆが回転してしまうと、給電板１８と接触窓１４ｃとの位置が一致しなくなる。しかし、突起１４ｄが突起溝１０ｃに挿入することにより筒部１４ａの回転が規制されるので、接触窓１４ｃは、装置筐体１０ａに対して常に一定の方向となるように取付けることができる。
【００２８】
図５は、通信回路基板１５の回路端子１５ａに接続された給電板１８の斜視図である。給電板１８は、アンテナ１６と接触する接触部１８ａ、通信回路基板１５の回路端子１５ａと接続される固定部１８ｂ、力吸収部１８ｃを含む板バネである。この給電板１８は、燐青銅やステンレス等の弾性率の大きな材料により形成された電気良導体である。固定部１８ｂは、半田付けやリベット等により、通信回路基板１５の回路端子１５ａと機械的かつ電気的に接続されている。
【００２９】
接触部１８ａは、アンテナ１６の長手方向に湾曲して形成されて、力吸収部１８ｃが発生するバネ力により、アンテナ１６のキャップボディ部１６ｂａやアンテナ端子部１６ｃの受電部１６ｃａに押圧される。接触部１８ａの湾曲方向は、収納方向から引出方向、またはその逆の方向である。図５等においては、収納方向から引出方向に湾曲している場合を示している。このように接触部１８ａを湾曲させたのは、アンテナ１６を引出・収納する際に、接触部１８ａがアンテナ１６に係止されたりするのを防止するためである。
【００３０】
なお、接触部１８ａは、キャップボディ部１６ｂａや受電部１６ｃａに押圧されて接触しているため、アンテナ１６の引出・収納に伴い発生する摩擦力によって、給電板１８は変形する。即ち、アンテナ１６が引出されるときは、給電板１８は接触窓１４ｃの引出変位規制部１９ａ側に曲がり、アンテナ１６が収納されるときは、収納変位規制部１９ｂ側に曲がる。しかし、このような給電板１８の変形量は、接触部１８ａが引出変位規制部１９ａ又は収納変位規制部１９ｂに当接することで規制される。即ち、引出変位規制部１９ａ又は収納変位規制部１９ｂは、給電板１８の最大変形量を規定している。
【００３１】
力吸収部１８ｃは、接触部１８ａ側の第１湾曲部１８ｃｂ、固定部１８ｂ側の第２湾曲部１８ｃａ、及びこれらの間に設けられた直線部１８ｃｃを含む。第１湾曲部１８ｃｂ及び第２湾曲部１８ｃａの湾曲方向及び作用については、接触部１８ａの作用と共に、後述する動作説明において詳しく述べる。
【００３２】
次に、このような構成のアンテナ給電装置１２を用いた携帯端末１０でアンテナ１６を引出・収納する場合の動作を説明する。なお、アンテナ１６を引出す場合と収納する場合とでは、給電板１８に作用する摩擦の方向が異なるだけで同様の説明が可能である。そこで、以下においては、アンテナ１６を引出す場合を例に説明する。
【００３３】
図６（ａ）は、アンテナ１６が収納状態にあるときの断面図、図６（ｂ）は引出途中の断面図、図６（ｃ）は使用状態にあるときの断面図である。また、図７（ａ）はアンテナ１６を引出しているときの給電板１８の状態を示す断面図、図７（ｂ）はアンテナ１６を収納しているときの給電板１８の状態を示す断面図、図７（ｃ）は接触部１８ａが下テーパ部１６ｃｃに当接したときの給電板１８の状態を示す断面図、図７（ｄ）は、アンテナ１６が動いていないときの給電板１８の状態を示す断面図である。
【００３４】
＜収納状態及び使用状態＞
図６（ａ）に示す収納状態又は図６（ｃ）に示す使用状態において、接触部１８ａは、受電部１６ｃａ又はキャップボディ部１６ｂａに押圧されている（図７（ｄ）参照）。この押圧力は、給電板１８における力吸収部１８ｃのバネ性により生じる。受電部１６ｃａ又はキャップボディ部１６ｂａの直径は支持部１４の内直径より適宜小さい寸法に形成され、かつ、接触部１８ａが受電部１６ｃａ又はキャップボディ部１６ｂａに押圧されているため、例えば携帯端末１０を上下逆に把持しても、装置筐体１０ａからアンテナ１６が抜出てしまうことはない。
【００３５】
＜引出・収納動作中＞
アンテナ１６を収納状態と使用状態との間で遷移させる引出・収納動作は、ユーザがキャップ部１６ｂを把持してアンテナ１６を引出又は収納することにより行われる。このとき、キャップボディ部１６ｂａ又は受電部１６ｃａは、接触部１８ａに対して摺動する。このときの摺動により摩擦力が発生して、給電板１８が変形する（図７（ａ）、図７（ｂ）参照）。その後、接触部１８ａはキャップボディ部１６ｂａや受電部１６ｃａから離れる。これにより、接触部１８ａは、図６（ｂ）に示すように、アンテナ軸心Ｑに近づく方向に前進する。
【００３６】
さらに、アンテナ１６の引出・収納動作を続けると、接触部１８ａはキャップ部１６ｂの上テーパ部１６ｂｃやアンテナ端子部１６ｃの下テーパ部１６ｃｃに当接し、アンテナ軸心Ｑから離れる方向に押し出される。図７（ｃ）においては、接触部１８ａが下テーパ部１６ｃｃに当接して、アンテナ軸心Ｑから矢印Ｋ３の方向に押し出される場合を示している。なお、接触部１８ａが上テーパ部１６ｂｃや下テーパ部１６ｃｃに当接するのは、給電板１８の第２湾曲部１８ｃａのバネ力によって、接触部１８ａが、案内部１４ｆの内壁よりアンテナ軸心Ｑ側に突出しているためである。
【００３７】
図７（ａ）、図７（ｂ）における点線で示す給電板１８は、接触部１８ａとキャップボディ部１６ｂａ又は受電部１６ｃａとの摩擦により変形した給電板１８を示している。即ち、アンテナ１６が引出される際には、図７（ａ）に示すように、給電板１８は、上端方向に湾曲して引出変位規制部１９ａに接触部１８ａが当接する。同様に、アンテナ１６が収納される際には、図７（ｂ）に示すように、給電板１８は、下端方向に湾曲して収納変位規制部１９ｂに接触部１８ａが当接する。接触部１８ａが引出変位規制部１９ａ又は収納変位規制部１９ｂに当接すると、それ以上に給電板１８は変形できなくなる。即ち、接触部１８ａが引出変位規制部１９ａ又は収納変位規制部１９ｂに当接することで、給電板１８の最大変形量が規制される。
【００３８】
給電板１８の変形は、主に力吸収部１８ｃの第２湾曲部１８ｃａ及び第１湾曲部１８ｃｂが弾性変形することで吸収される。給電板１８の変位を吸収するだけの目的であれば、例えば図８に示すような、１つの湾曲部により形成された力吸収部３１を持つ給電板３０であっても良い。しかし、この場合、接触部３１ａが摩擦により摩耗すると、図８の拡大図に示すように、接触部３１ａと受電部１６ｃａとの間に、クリアランスＳが発生して、接触状態が悪くなることが生じる。
【００３９】
しかし、本実施形態にかかる力吸収部１８ｃは、第２湾曲部１８ｃａと第１湾曲部１８ｃｂとの２つの湾曲部を備えるため、図９に示すように、第１湾曲部１８ｃｂのバネ力ｆ１が、接触部１８ａを受電部１６ｃａの方向に押す。従って、接触部１８ａが摩耗しても、接触部１８ａは受電部１６ｃａと確実に接触する。
【００４０】
また、図８に示す構成の場合には、１つの湾曲部によって給電板３０の変形が吸収されるため、この湾曲部で吸収しきれなかった力が固定部に加わることになる。しかし、本実施形態にかかる力吸収部１８ｃは、第２湾曲部１８ｃａ及び第１湾曲部１８ｃｂを備えて、給電板１８の変位をこれら２つの湾曲部によって吸収するので、固定部１８ｂには加わる力は非常に小さくなる。従って、アンテナの引出・収納を繰返し行っても、固定部と回路端子との電気的・機械的接続状態が劣化することがない。
【００４１】
なお、上記説明では、単段式のアンテナについて説明したが、図１０に示すような多段式のアンテナ２６であってもよい。図１０に示すアンテナ２６は、ロッド部２６ａが第１ロッド部２６ａａと、この第１ロッド部２６ａａに収納可能に設けられた第２ロッド部２６ａｂを含んでいる。そして、第１ロッド２６ａａにキャップ部１６ｂが設けられ、第２ロッド２６ａｂにアンテナ端子部１６ｃが設けられている。このように多段式のアンテナを用いることにより、収納時のアンテナの長さを短くすることが可能になる。
【符号の説明】
【００４２】
１，１２    アンテナ給電装置
２，１８，３０    給電板
２ｃ，１８ｂ    固定部
２ａ，１８ａ，３１ａ    接触部
２ｂ，１８ｃ，３１    力吸収部
３，１０ａ    装置筐体
４，１６，２６    アンテナ
５，１５    通信回路基板
１０    携帯端末
１４    支持部
１５ａ    回路端子
１６ａ，２６ａ    ロッド部
１６ｂ    キャップ部
１６ｃ    アンテナ端子部
１６ｃａ    受電部
１８ｃａ    第２湾曲部
１８ｃｂ    第１湾曲部
１９    変位規制部
１９ａ    引出変位規制部
１９ｂ    収納変位規制部
【図１】
2014143770.tif 000003
【図２】
2014143770.tif 000004
【図３】
2014143770.tif 000005
【図４】
2014143770.tif 000006
【図５】
2014143770.tif 000007
【図６】
2014143770.tif 000008
【図７】
2014143770.tif 000009
【図８】
2014143770.tif 000010
【図９】
2014143770.tif 000011
【図１０】
2014143770.tif 000012
【図１１】
2014143770.tif 000013